(57)【要約】【課題】壁面材の上端固定構造であって、壁面材の上端を固定する下地材が床版に固定されることがない壁面材の上端固定構造を提供する。【解決手段】壁面材の上端固定構造１は、上端に平板状の水平板部３１が設けられる梁３と、前記水平板部３１の上に隙間Ｓを設けて設置される床版４と、上片５６及び下片５７を有し前記水平板部３１に挟着する挟着部５１と当該挟着部５１に支持されて下方に垂れ下がる垂下部５４とを有する下地固定金物５と、前記床版４から離間して前記垂下部５４に固定されるランナー材７と、前記ランナー材７に上端が固定される壁面材２と、を備え、前記挟着部５１は前記上片５６が前記水平板部３１と前記床版４との隙間Ｓに挿入され、前記水平板部３１の上面に当接するとともに前記床版４の下面から離間する。【選択図】図２
2019131996.tif 000002
【特許請求の範囲】
【請求項１】
上端に平板状の水平板部が設けられる梁と、
前記水平板部の上に隙間を設けて設置される床版と、
上片及び下片を有し前記水平板部に挟着する挟着部と当該挟着部に支持されて下方に垂れ下がる垂下部とを有する下地固定金物と、
前記床版から離間して前記垂下部に固定されるランナー材と、
前記ランナー材に上端が固定される壁面材と、
を備え、
前記挟着部は前記上片が前記水平板部と前記床版との隙間に挿入され、前記水平板部の上面に当接するとともに前記床版の下面から離間することを特徴とする壁面材の上端固定構造。
【請求項２】
前記ランナー材と前記床版との間に耐火性及び／又は遮音性を有する充填材が設けられることを特徴とする請求項１に記載の壁面材の上端固定構造。
【請求項３】
前記下地固定金物は、前記挟着部と前記垂下部とを連結する水平な連結部をさらに有し、
前記垂下部が前記連結部側に鋭角に折り曲げられることを防止する当り止め片が設けられることを特徴とする請求項１又は請求項２に記載の壁面材の上端固定構造。
【請求項４】
前記挟着部は前記上片及び前記下片の基端同士を繋ぐ鉛直な接続部を有しており、
前記垂下部は前記接続部に当接して配置されることを特徴とする請求項１又は請求項２に記載の壁面材の上端固定構造。
【請求項５】
前記水平板部と前記床版との間に複数の振動吸収材が互いに間隔を開けて配置されることにより前記隙間が形成されていることを特徴とする請求項１から請求項４のいずれかに記載の壁面材の上端固定構造。
【発明の詳細な説明】
【技術分野】
【０００１】
本発明は、屋内壁面を構成する壁面材の上端固定構造に関する。
【背景技術】
【０００２】
例えば、耐火性能を満たすためや隣接空間との遮音性能を高めるために界壁や一部の間仕切壁は、その壁面材を天井裏まで達するように設置している。このような壁面材の上端を固定する構造としては、上階の床を形成する床版の下面に断面Ｌ型のランナーを固定し、当該ランナーに壁面材の上端を固定する固定金物を固定したものが知られている（特許文献１）。
【０００３】
また、上階からの振動が下階に伝達されることを抑制するために、床版に固定されるランナー材の内側に緩衝材を接着し、壁面材の上端が緩衝材を介してランナー材に固定されるようにしたものが知られている（特許文献２）。
【先行技術文献】
【特許文献】
【０００４】
【特許文献１】特開平０５−１７９７２９号公報
【特許文献２】特開２００６−６３７２７号公報
【発明の概要】
【発明が解決しようとする課題】
【０００５】
ところで、従来より、遮音性を向上させるために梁の上に振動吸収材を配置し、その上に床版を配置した遮音床構造が用いられることがある。このような構造においては、床版の振動を振動吸収材で吸収するので、梁に伝わる振動を弱めて遮音性能を確保しているが、床版と下階の壁面材とが強固に固定されていると、床版の振動が直接壁面材を伝って下階に伝わることになり遮音性能が低下する要因となる。
【０００６】
そこで、本発明は、壁面材の上端固定構造であって、壁面材の上端を固定する下地材が床版に固定されることがない壁面材の上端固定構造を提供することを目的とする。
【課題を解決するための手段】
【０００７】
本発明の壁面材の上端固定構造は、上端に平板状の水平板部が設けられる梁と、前記水平板部の上に隙間を設けて設置される床版と、上片及び下片を有し前記水平板部に挟着する挟着部と当該挟着部に支持されて下方に垂れ下がる垂下部とを有する下地固定金物と、前記床版から離間して前記垂下部に固定されるランナー材と、前記ランナー材に上端が固定される壁面材と、を備え、前記挟着部は前記上片が前記水平板部と前記床版との隙間に挿入され、前記水平板部の上面に当接するとともに前記床版の下面から離間することを特徴としている。
【０００８】
本発明の壁面材の上端固定構造は、前記ランナー材と前記床版との間に耐火性及び／又は遮音性を有する充填材が設けられることを特徴としている。
【０００９】
本発明の壁面材の上端固定構造は、前記下地固定金物は、前記挟着部と前記垂下部とを連結する水平な連結部をさらに有し、前記垂下部が前記連結部側に鋭角に折り曲げられることを防止する当り止め片５５が設けられることを特徴としている。
【００１０】
本発明の壁面材の上端固定構造は、前記挟着部は前記上片及び前記下片の基端同士を繋ぐ鉛直な接続部を有しており、前記垂下部は前記接続部に当接して配置されることを特徴としている。
【００１１】
本発明の壁面材の上端固定構造は、前記水平板部と前記床版との間に複数の振動吸収材が互いに間隔を開けて配置されることにより前記隙間が形成されていることを特徴としている。
【発明の効果】
【００１２】
本発明の壁面材の上端固定構造によると、梁の水平板部と当該水平板部上の床版との間に隙間が設けられており、下地固定金物の挟着部の上片が水平板部の上面に当接するとともに床版の下面から離間しているので、下地固定金物は、床版に当接することなく支持される。また、ランナー材は下地固定金物の垂下部に床版から離間して固定されるので、ランナー材も床版に当接することなく固定される。したがって、下地固定金物やランナー材を床版に固定することなく設置できるので壁面材が床版に支持されることがなく、例えば他の部材との干渉や床版の強度などの都合で、床版に下地固定金物又はランナー材の固定が困難である場合にも床版に下地固定金物やランナー材を固定することなく、壁面材の上端を床版に近い位置に固定することができる。
【００１３】
本発明の壁面材の上端固定構造によると、壁面材の上端が固定されるランナー材と、床版との間に充填材が設けられ、当該充填材は耐火性及び／又は遮音性を有するので、壁面材によって形成される界壁又は間仕切壁の耐火性及び／又は遮音性を高めることができる。
【００１４】
本発明の壁面材の上端固定構造によると、当り止め片によって垂下部が連結部側に鋭角に折り曲げられることが防止されるので、垂下部にランナー材を押し当てて固定する際に、垂下部がランナー材から逃げることを防止できるので、固定作業が容易になるとともに、ランナー材を適切な位置に固定することができる。
【００１５】
本発明の壁面材の上端固定構造によると、鉛直な接続部が挟着部の上片及び下片の基端同士を繋いでおり、当該接続部に垂下部が当接しているので、垂下部にランナー材を押し当てて固定する際に、接続部が支えとなって垂下部がランナー材から逃げることを防止できるので、固定作業が容易になるとともに、ランナー材を適切な位置に固定することができる。
【００１６】
本発明の壁面材の上端固定構造によると、水平板部と床版との間の隙間は、複数の振動吸収材が配置されることにより形成されているので、床版の振動が振動吸収材に吸収されて水平板部を有する梁には伝わりにくい。そして、下地固定金物及びランナー材もまた床版から離間しているので当該床版の振動が伝わることがないので、振動吸収材の働きを妨げることが無く、上階の床版の振動が壁面材と伝って下階に伝わることを防止することができる。
【図面の簡単な説明】
【００１７】
【図１】壁面材の上端固定構造の全体構成を示す断面図。
【図２】壁面材の上端固定構造の構成を示す一部拡大断面図。
【図３】下地固定金物の構成を示す側面図。
【図４】下地固定金物の構成を示す斜視図。
【図５】下地固定金物、ランナー材、及び壁面材の構成を説明する床版及び梁の記載を省略した斜視図。
【図６】下地固定金物の挟着部を梁の水平板部に挟着する前の状態を示す断面図。
【図７】下地固定金物の挟着部を梁の水平板部に挟着した状態を示す断面図。
【図８】下地固定金物の垂下部にランナー材の鉛直部を固定する状態を示す断面図。
【図９】ランナー材に壁面材の上端を固定する状態を示す断面図。
【図１０】変形例の下地固定金物の構成を示す側面図。
【図１１】変形例の下地固定金物を用いて壁面材の上端固定構造を施工する状態を説明する断面図。
【図１２】変形例の下地固定金物を用いて壁面材の上端固定構造の施工を完了した状態を説明する断面図。
【発明を実施するための形態】
【００１８】
以下、本発明に係る壁面材の上端固定構造１の実施形態について各図を参照しつつ説明する。壁面材の上端固定構造１は、例えば集合住宅の界壁を構成する壁面材２の上端を固定する構造である。なお、壁面材２により構成される壁は界壁に限定されるものではなく、耐火性能や隣接空間との遮音性能を高めるために壁面材２が天井裏まで達する必要のある間仕切壁であってもよい。
【００１９】
壁面材の上端固定構造１は、図１及び図２に示すように、建物の躯体に架設される梁３と、隙間Ｓを設けて梁３の上に設置される床版４と、梁３に固着する下地固定金物５と、下地固定金物５に固定されるランナー材７と、ランナー材７に上端が固定される壁面材２と、ランナー材７と床版４との間に設けられる充填材８と、を備えている。
【００２０】
梁３はフランジが上下に位置するように架設されたＨ形鋼である。梁３の上側のフランジが本発明における水平板部３１である。なお、梁３は上端に水平板部３１が設けられる鋼材であればＨ形鋼に限定されるものではない。梁３の水平板部３１の上には、間隔を開けて複数の振動吸収材９が配置されている。振動吸収材９は例えばゴムや合成樹脂などの弾性体によって形成されており、振動吸収材９の上に設置される床版４の振動を吸収する。また、梁３の下側のフランジには溝ランナー１０を取り付けるランナー取付金具１１が固定されており、ランナー取付金具１１の下面に溝ランナー１０が下向きに開口して固定されている。溝ランナー１０には壁面材２の中間部を固定するためのスタッド１２の上端が固定されている。床版４は例えば中空部を有するＡＬＣの矩形板材である。床版４は梁３の水平板部３１上に配置された振動吸収材９の上に設置されて、上階の床下地となる。
【００２１】
下地固定金物５は、図２から図４に示すように、水平板部３１に挟着する挟着部５１と、挟着部５１から水平板部３１と反対側に向かって延びる連結部５２と、連結部５２の上面に重ね合されて固定される平板状の固定部５３と、固定部５３を折り曲げて形成され連結部５２の突出縁から下方に垂れ下がる垂下部５４と、垂下部５４の両側縁から連結部５２側に折り曲げて形成された当り止め片５５とを有する。
【００２２】
挟着部５１は、上片５６と、上片５６の下側に配置される下片５７と、上片５６及び下片５７の基端同士を繋ぐ鉛直な接続部５８とを有している。上片５６は水平板部３１の上面に当接する水平な平板状で、その中央に斜め下向きに折り曲げられた爪部５９を有している。爪部５９は、挟着部５１が梁３の水平板部３１に挟着するときに、当該水平板部３１に形成された孔部３２に係止されて、挟着部５１が水平板部３１から抜け落ちることを防止する。接続部５８は上片５６の基端の両側の側端部をそれぞれ下方に直角に折り曲げて形成した一対の鉛直な平板状である。下片５７は一対の接続部５８の下端からそれぞれ延びて上片５６の下側に位置しており、中間位置が上片５６に接近するように湾曲して形成されている。下片５７は上片５６に最も接近する位置の上片５６との間の距離が水平板部３１の厚さよりも短く形成されており、挟着部５１は弾性変形によって水平板部３１に挟着する。
【００２３】
連結部５２は、上片５６と面一で上片５６の基端の中央部から上片５６の延出方向と逆方向に延びる平板である。挟着部５１及び連結部５２は１枚の金属板を折曲加工して形成している。また、固定部５３及び垂下部５４は１枚の薄板を直角に折り曲げて形成している。固定部５３は、連結部５２の上面に重なり合っており、上片５６にカシメ金具６０によって固定されている。垂下部５４は、連結部５２の突端から下方に垂れ下がるように固定部５３を折り曲げて形成されている。当り止め片５５は、垂下部５４の両側縁を連結部５２側に折り曲げて形成しており、当り止め片５５が連結部５２に当接することにより、垂下部５４が連結部５２に接近する方向に鋭角に折り曲げられることを抑制できる。
【００２４】
ランナー材７は、図５に示すように、水平方向に長尺に形成された水平部７１と鉛直部７２とからなるアングルである。ランナー材７の鉛直部７２が下地固定金物５の垂下部５４に当接する状態で、ランナー材７の水平部７１は鉛直部７２の上端から下地固定金物５とは反対方向に延出している。壁面材２は、例えば石こうボードであり、例えば２重に重ねられることで、耐火性を確保している。
【００２５】
充填材８は、耐火性及び遮音性を有する材料で構成されている。充填材８の耐火性及び遮音性は壁面材２と同等以上の性能であることが好ましい。充填材８は湿式の材料であっても乾式の材料であってもよい。充填材８は、床版４の振動に追従しつつ、ランナー材７側に当該振動を伝えることがない柔軟性を有する材料が好ましい。充填材８の材料としては、例えばシーリング材、石膏系充填材、繊維系充填材を用いることができる。
【００２６】
壁面材の上端固定構造１を施工する際には、まず、梁３を含む建物の躯体を施工した後、梁３の水平板部３１の上に振動吸収材９を配置する。そして、床版４を振動吸収材９の上に載置して、梁３の水平板部３１の上に隙間Ｓを設けて床版４を設置する。なお、床版４は図示しない床版固定用の金物で梁３に固定される。そして次に、図６に示すように、下地固定金物５の挟着部５１の上片５６を床版４と梁３の水平板部３１との隙間Ｓに挿入する。
【００２７】
上片５６が床版４と水平板部３１との隙間Ｓに挿入されると、下片５７が上片５６と離れる方向に弾性変形しつつ水平板部３１の下面に当接し、上片５６と下片５７とで水平板部３１に挟着する。このとき上片５６の爪部５９が水平板部３１の孔部３２に嵌着することで、挟着部５１が水平板部３１から脱落しないように固定される。図７に示すように、挟着部５１が水平板部３１に挟着した状態で下地固定金物５は、床版４の下面から離間しており、床版４の振動が下地固定金物５に直接伝わることがない。
【００２８】
挟着部５１を水平板部３１に挟着して、下地固定金物５を梁３に固定すると、次に、図８に示すように、ランナー材７の鉛直部７２を下地固定金物５の垂下部５４に当接させる。そしてランナー材固定用ビス１３を鉛直部７２から垂下部５４に向けて打ち込んでランナー材７を下地固定金物５に固定する。下地固定金物５の垂下部５４の両側縁には連結部５２側に折り曲げて当り止め片５５が形成されているので、当り止め片５５によって垂下部５４の折曲回転が止められ、ランナー材固定用ビス１３を打ち込む際に垂下部５４が逃げることを防止できる。
【００２９】
垂下部５４にランナー材７が固定されると、次に、図９に示すように、壁面材２の上端をランナー材７に固定する。ランナー材７の水平部７１に壁面材２の上端を当接させるとともに、ランナー材７の鉛直部７２に壁面材２の壁内側の面を当接させる。そして、壁外側から壁面材２に向かって水平方向に壁面材固定用ビス１４を打ち込んで壁面材２とランナー材７の鉛直部７２とを固定させる。そして、図２に示すように、ランナー材７の水平部７１と床版４との間に充填材８を充填して、壁面材の上端固定構造１を完成させる。隙間となっている床版４とランナー材７との間に耐火性及び遮音性を有する充填材８を充填することで、界壁又は間仕切壁の耐火性及び遮音性を保つことができる。
【００３０】
以上のように、本実施形態の壁面材の上端固定構造１によると、床版４及び梁３は振動吸収材９を介しており、下地固定金物５、ランナー材７、及び壁面材２はいずれも床版４に接していないので、床版４の振動が下階に伝達されることがない。そして、ランナー材７と、床版４との間に充填材８が設けられるので、壁面材２と床版４との間が離間しつつも耐火性及び遮音性を確保することができる。しかも、当り止め片５５によって、垂下部５４にランナー材７を固定する際に垂下部５４が逃げることが無く、固定作業が安定し、ランナー材７を適切な位置に固定することができる。
【００３１】
なお、本発明の壁面材の上端固定構造１における下地固定金物５は、上述の実施形態に限定されるものではない。次に、下地固定金物５の変形例について図１０及び図１１に基づいて説明する。なお、床版４、梁３、ランナー材７、及び壁面材２は、上述の実施形態と同様の構成であるので、同一の符号を付して説明を省略する。
【００３２】
変形例の下地固定金物５は、図１０に示すように、水平板部３１に挟着する挟着部５１と、挟着部５１から水平板部３１と反対側に向かって延びる連結部５２と、連結部５２の上面に重ね合されて固定される平板状の固定部５３と、固定部５３を折り曲げて形成され連結部５２の突出縁から下方に垂れ下がる垂下部５４と、を有しており、垂下部５４が挟着部５１の上片５６と下片５７とを繋ぐ鉛直な接続部５８に当接するように配置されている。なお、挟着部５１の形状は上述の実施形態と同様の形状であるので、説明を省略する。
【００３３】
連結部５２は、上片５６と面一で上片５６の基端の中央部から上片５６の延出方向と逆方向に延びる平板である。また、固定部５３及び垂下部５４は１枚の薄板を直角に折り曲げて形成している。固定部５３は、連結部５２の上面に重なり合っており、上片５６にカシメ金具６０によって固定されている。垂下部５４は、連結部５２の上片５６側の端部から下方に垂れ下がるように固定部５３を折り曲げて形成されている。垂下部５４と接続部５８とは互いに面同士が当接している。
【００３４】
そして図１１及び図１２に示すように、変形例の下地固定金物５を用いて壁面材の上端固定構造１を施工する際には、上述の実施形態と同様に梁３、振動吸収材９、及び床版４を施工した後、下地固定金物５の挟着部５１を梁３の水平板部３１に挟着する。そして次に、ランナー材７の水平部７１を下地固定金物５の固定部５３に当接させつつ、ランナー材７の鉛直部７２を下地固定金物５の垂下部５４に当接させる。そしてランナー材固定用ビス１３を鉛直部７２から垂下部５４に向けて打ち込んでランナー材７を下地固定金物５に固定する。下地固定金物５の垂下部５４は接続部５８に当接しているので、垂下部５４が鋭角側に回転することがなく、ランナー材固定用ビス１３を打ち込む際に垂下部５４が逃げることを防止できる。
【００３５】
そして次に、壁面材２の上端をランナー材７の水平部７１に当接させるとともに、ランナー材７の鉛直部７２に壁面材２の壁内側の面を当接させて、壁外側から壁面材２に向かって水平方向に壁面材固定用ビス１４を打ち込んで、壁面材２とランナー材７の鉛直部７２とを固定させる。そして、ランナー材７の水平部７１と床版４との間に充填材８を充填して、壁面材の上端固定構造１を完成させる。
【００３６】
この実施形態の壁面材の上端固定構造１によると、ランナー材７の水平部７１が下地固定金物５の固定部５３に当接し、ランナー材７の鉛直部７２が下地固定金物５の垂下部５４に当接するので、ランナー材７を固定する際に当該ランナー材７の姿勢が安定しやすく、固定作業をより容易なものとすることができる。
【産業上の利用可能性】
【００３７】
本発明に係る壁面材の上端固定構造１は例えば集合住宅の界壁を構成する壁面材の上端固定構造１として好適に用いることができる。
【符号の説明】
【００３８】
１      壁面材の上端固定構造
２      壁面材
３      梁
４      床版
５      下地固定金物
７      ランナー材
８      充填材
９      振動吸収材
３１    水平板部
５１    挟持部
５２    連結部
５４    垂下部
５５    当り止め片
５６    上片
５７    下片
５８    接続部
【図１】
2019131996.tif 000003
【図２】
2019131996.tif 000004
【図３】
2019131996.tif 000005
【図４】
2019131996.tif 000006
【図５】
2019131996.tif 000007
【図６】
2019131996.tif 000008
【図７】
2019131996.tif 000009
【図８】
2019131996.tif 000010
【図９】
2019131996.tif 000011
【図１０】
2019131996.tif 000012
【図１１】
2019131996.tif 000013
【図１２】
2019131996.tif 000014